(57)【要約】【課題】本発明の課題は、既設の従来のクレセントの周りに後付けして、緊急時など必要な場合にクレセントハンドルをハンドル外から強制的に動かし施・開錠できる後付け用クレセント施・開錠具を提供することである。【解決手段】本発明によるクレセント施・開錠具は、クレセントのハンドルに接触して、これを押し動かす回転可能なハンドル押し片とこれを回転駆動する駆動手段と、緊急時などに駆動手段を稼働させる動機を与える動機付与手段と、これらを収容する筐体を備え、クレセントが付設された引違立框に後付けで取付けられる。【選択図】図１
2016191216.tif 000002
【特許請求の範囲】
【請求項１】
引き違い框に取り付けられているクレセントのハンドルに接触しこれを押し動かし前記クレセントを施・開錠するための回転可能なハンドル押し片と、これを回転させ動かすための駆動手段と、前記駆動手段を動かす動機を与える動機付与手段と、これらを収納する筐体とを備え、前記筐体には、前記框の立框に取り付けるための取付け具と、前記筐体の室外に向かう面には、前記クレセントの掛部受具に嵌る又外れるための掛片を出すための開口部と、前記筐体の室内側には、前記クレセントのハンドルを突出させ、前記ハンドルの回転をガイドする開口したガイド溝とを備え、前記クレセントに設置後に後付け可能であることを特徴とするクレセント施・開錠具。
【請求項２】
前記ハンドルの回転軸と前記ハンドル押し片の回転軸が同一直線上にあり、
前記ハンドル押し片とその回転軸までの間で、前記ハンドル押し片が、前記掛片に当たる手前において曲がって前記掛片の外側に延伸し、その回転軸まで伸びていることで、
前記ハンドル押し片が、前記ハンドルと前記掛片に機械的に干渉しないように間隙をもって配置されることを特徴とする請求項１記載のクレセント施・開錠具。
【請求項３】
前記筐体の室外側には、前記ハンドル押し片を室外から遮蔽する遮蔽体を有することを特徴とする請求項１又は請求項２記載のクレセント施・開錠具。
【請求項４】
前記ハンドル押し片は、前記ハンドルをはめ込む断面コの字状の溝を有することを特徴とする請求項１から請求項３のいずれか１つに記載のクレセント施・開錠具。
【請求項５】
前記溝は、その開いている方向が前記ハンドル押し片の回転方向とは直角であることを特徴とする請求項４記載のクレセント施・開錠具。
【請求項６】
前記ガイド溝は、框取付け側が切れていて開いていることを特徴とする請求項１から請求項５のいずれか１つに記載のクレセント施・開錠具。
【請求項７】
前記ハンドル押し片には、施錠又は及び開錠をさせるための回転を駆動する付勢手段を備えたことを特徴とする請求項１から請求項６のいずれか１つに記載のクレセント施・開錠具。
【請求項８】
前記動機付与手段は、緊急災害情報の受信手段又は震動感知手段と、これらからの信号を受けて前記駆動手段を動かす制御手段とを備え、
前記駆動手段は、少なくとも電気的に動くアクチュエータを含み、これを前記制御手段が駆動することを特徴とする請求項１から請求項７のいずれか１つに記載のクレセント施・開錠具。
【発明の詳細な説明】
【技術分野】
【０００１】
本発明は、既設のクレセントの周辺に後付けして、クレセントのハンドルを施・開錠特に開錠する側に動かすことが可能なクレセント施・開錠具に関するものである。
【背景技術】
【０００２】
従来、クレセントは、主に引き違い戸や窓に取り付けられる。
図６は従来のクレセントを示す図である。
６−Ａにおいて、戸や窓等の引違枠を取付対象物とすれば、引違枠の室内側枠の立框に取付けられる、掛部本体６１００と、引違枠の室外側枠の立框に取付けられる、掛部受具６２００を備えている。掛部本体６１００は、基台６１１０とこれに回転自在に取り付けた
掛部６１２０を備え、基台６１１０には、室内側枠の立框に取り付けるためのネジ穴とネジ等の取付け具６１１１が付いている。掛部６１２０は、回転部６１２１とこれについて回転移動し、掛部受具６２００の嵌り溝６２０１に嵌り、又、外すことが可能な掛片６１２２と、回転部６１２１に取りついて回転をさせるハンドル６１２３を備えている。６−Ｂには、６−Ａのクレセントが室内外の両側の引違立框に取りついた状態を示している。
このような非常に単純な構成であり、ハンドルを手で回せば、容易に掛片６１２２が掛部受具６２００に嵌り施錠状態に、又、逆に回転して外せば、開錠状態になる。
窓等に沢山使用されている。このようなクレセントの欠点は、第一の欠点として、外から窓のガラスを破られると、容易にあけられてしまうことや、施錠状態では堅固に窓枠が互いに固定されるため、地震動などでの窓枠の瞬間的ゆがみの影響が大きく、第二の欠点として、窓ガラスの破損を招きやすいこと、或いは、第三の欠点として、歪みにより窓が開かなくなって避難に支障をきたすことなどがあげられる。
第一の欠点に対しては、既設のクレセントに後付けできるもので、特許文献１、特許文献２、特許文献３、特許文献４が提案されている。
前２者はハンドルを外から回せない筐体を持つ、後２者は、筐体を電気的に上下させるものであるが、自体で開錠機能はない。
第三の欠点に対しては、特許文献５〜特許文献９には、震動等を機械的に検知して機械的に開錠処理を行う錠装置が示されている。又、特許文献１０〜特許文献１２には、震動等を電気的に検知して電気機械的に開錠処理を行う錠装置が示されている。いずれも、錠自体が施開錠する機能までを含んだもので、既設の従来のクレセントを施開錠するものはなく、何ら対策されないまま使用状態で放置されている。
【先行技術文献】
【特許文献】
【０００３】
【特許文献１】特開Ｈ０９−７８９０１
【特許文献２】特開２００６−８３５９９
【特許文献３】特開２０１２−２４１４７６
【特許文献４】特開２００４−３１６１７２
【特許文献５】特開２０１０−２２２９６５
【特許文献６】特開２０１３−２３８３１
【特許文献７】特開２０１４−１０１７３１
【特許文献８】特開２０１４−３７７５９
【特許文献９】特開２０１３−２２１３９２
【特許文献１０】特開２０１３−１２４４６３
【特許文献１１】特開２０１３−２２４５１７
【特許文献１２】特開２０１３−１８１３３９
【発明の概要】
【発明が解決しようとする課題】
【０００４】
本発明の課題は、既設の従来のクレセントの周りに後付けして、緊急時など必要な場合にクレセントハンドルをハンドル外から強制的に動かし施・開錠できる後付け用クレセント施・開錠具を提供することである。
【課題を解決するための手段】
【０００５】
本発明によるクレセント施・開錠具は、クレセントのハンドルに接触して、これを押し動かす回転可能なハンドル押し片とこれを回転駆動する駆動手段と、緊急時などに駆動手段を稼働させる動機を与える動機付与手段と、これらを収容する筐体を備え、クレセントが付設された引違立框に後付けで取付けられる。                                                                                                          
以下詳述する。
【０００６】
請求項１記載の発明は、クレセント施・開錠具であって、
引き違い框に取り付けられているクレセントのハンドルに接触しこれを押し動かし前記クレセントを施・開錠するための回転可能なハンドル押し片と、これを回転させ動かすための駆動手段と、前記駆動手段を動かす動機を与える動機付与手段と、これらを収納する筐体とを備え、前記筐体には、前記框の立框に取り付けるための取付け具と、前記筐体の室外に向かう面には、前記クレセントの掛部受具に嵌る又外れるための掛片を出すための開口部と、前記筐体の室内側には、前記クレセントのハンドルを突出させ、前記ハンドルの回転をガイドする開口したガイド溝とを備え、前記クレセントに設置後に後付け可能であることを特徴とする。
【０００７】
請求項２記載の発明は、請求項１記載のクレセント施・開錠具において、
前記ハンドルの回転軸と前記ハンドル押し片の回転軸が同一直線上にあり、
前記ハンドル押し片とその回転軸までの間で、前記ハンドル押し片が、前記掛片に当たる手前において曲がって前記掛片の外側に延伸し、その回転軸まで伸びていることで、
前記ハンドル押し片が、前記ハンドルと前記掛片に機械的に干渉しないように間隙をもって配置されることを特徴とする。
【０００８】
請求項３記載の発明は、請求項１又は請求項２記載のクレセント施・開錠具において、
前記筐体の室外側には、前記ハンドル押し片を室外から遮蔽する遮蔽体を有することを特徴とする。
【０００９】
請求項４記載の発明は、請求項１から請求項３のいずれか１つに記載のクレセント施・開錠具において、
前記ハンドル押し片は、前記ハンドルをはめ込む断面コの字状の溝を有することを特徴とする。
【００１０】
請求項５記載の発明は、請求項４記載のクレセント施・開錠具において、
前記溝は、その開いている方向が前記ハンドル押し片の回転方向とは直角であることを特徴とする。
【００１１】
請求項６記載の発明は、請求項１から請求項５のいずれか１つに記載のクレセント施・開錠具において、前記ガイド溝は、框取付け側が切れていて開いていることを特徴とする。
【００１２】
請求項７記載の発明は、請求項１から請求項６のいずれか１つに記載のクレセント施・開錠具において、
前記ハンドル押し片には、施錠又は及び開錠をさせるための回転を駆動する付勢手段を備えたことを特徴とする。
【００１３】
請求項８記載の発明は、請求項１から請求項７のいずれか１つに記載のクレセント施・開錠具において、
前記動機付与手段は、緊急災害情報の受信手段又は震動感知手段と、これらからの信号を受けて前記駆動手段を動かす制御手段とを備え、
前記駆動手段は、少なくとも電気的に動くアクチュエータを含み、これを前記制御手段が駆動することを特徴とする。
【発明の効果】
【００１４】
以上のように構成されているので、本発明のクレセント施・開錠具は、多数使用されている既設のクレセントの周りに後付けで簡単に取り付けられ、緊急時などの必要時には、施・開錠時に開錠処理が行われるので、既設品にも防犯及び災害対応の対策が施せ、極めて好都合な特徴が得られる。
【図面の簡単な説明】
【００１５】
【図１】本発明のクレセント施・開錠具の一実施態様を示す図である。
【図２】本発明のクレセント施・開錠具が既設のクレセントに取り付けられた状態の一実施態様を示す図である。
【図３】本発明のクレセント施・開錠具の他の一実施態様を示す図である。
【図４】本発明のクレセント施・開錠具の内部構造の一実施態様を示す図である。
【図５】本発明のクレセント施・開錠具を構成する動機付与手段の一実施態様を示す図である。
【図６】既設されている従来のクレセントの一例を示す図である。
【発明を実施するための形態】
【００１６】
本発明によるクレセント施・開錠具は、クレセントのハンドルに接触して、これを押し動かす回転可能なハンドル押し片とこれを回転駆動する駆動手段と、緊急時などに駆動手段を稼働させる動機を与える動機付与手段と、これらを収容する筐体を備える。以下、詳述する。
【００１７】
図１は、本発明によるクレセント施・開錠具の一実施態様を示す図である。
１−Ａは、特に開錠を目的にしたものであり、１−Ｂは、施・開錠の両者を目的にしたものである。ここには、クレセントのハンドルに接触して、これを押し動かす回転可能なハンドル押し片１１０とこれを収容する筐体１２０が示されている。
筐体１２０の内側には、ハンドル押し片１１０を回転駆動する駆動手段と、緊急時などに駆動手段を稼働させる動機を与える動機付与手段とが内蔵されている。勿論これらが筐体１２０の外から見える状態で構成されていても、外部にあっても構わない。
１−Ａにおいて、筐体１２０には、引違立框に後付けで取付けるためのネジ穴とネジ等などの取付け具１３０があり、筐体１２０の室外側の面は開口され開口部１４０となっていて、そこからは、クレセントの掛片がでて、掛部受具に嵌ることが可能になっている。
ハンドル押し片１１０は、回転軸１５０の周りで回転可能になっている。尚、この図ではハンドル押し片１１０が回転する場合に沿うガイド溝１６０が示されているが、これにこだわらない。ハンドル押し片１１０には、クレセントのハンドルを押す側には、溝１１１が示されている。この溝１１１には、ハンドルが嵌るようになっているが、ハンドルをハンドル押し片１１０が押すことができればよいので、溝１１１はなくともよい。
１−Ｂでは、１−Ａとの違いは、ハンドル押し片１１０の溝１１１の向きが違っている。
溝１１１の開いている方向はハンドル押し片１１０の回転方向とは直角なので、この場合は、溝１１１に嵌ったハンドルは、ハンドル押し片１１０の回転の両方向、すなわち、施錠と開錠の両方向に動かすことができる。一方、１−Ａでは、どちらか一方、特に開錠のみが可能となる。
【００１８】
図２は、本発明のクレセント施・開錠具が既設のクレセントに取り付けられた状態の一実施態様を示す図である。
２−Ａにおいて、クレセントのハンドル２１０、クレセントの掛片２２０、掛部受具２３０が示されている。前説のように掛部受具２３０は、室外側の立框に取り付けられる。
ハンドル２１０、クレセントの掛片２２０を筐体１２０に取り込むようにセットし、筐体１２０は、取付け具１３０により取付け室内側の立框に取り付けられる。１−Ａの状態は、施錠状態であり、掛片２２０が掛部受具２３０の嵌り溝２３１に嵌っている。
この状態から、必要時においてハンドル押し片１１０が時計回りに回転すると、ハンドル２１０を押すので、ハンドル２１０も回転し、掛片２２０も嵌り溝２３１から外れて開錠されることになる。
【００１９】
２−Ｂにおいて、上記の動作が容易なように、ハンドル２１０の回転軸とハンドル押し片１１０の回転軸が同一直線上のある状態（同一軸状態）であるほうがよい。その方が、回転の初期から後までハンドル２１０とハンドル押し片１１０が緊密な接触状態を保つことが可能である。
軸が違う場合は、一部でのみ接触して押すことになる。又、同一軸状態においては、ハンドル押し片１１０とその回転軸までの間が、ハンドル２１０と掛片２２０に干渉しないように間隙をもって配置されることが必要であり、そのためには、ハンドル押し片１１０が、掛片２２０の当たる手前において曲がって掛片２２０の外側に延伸し、同一軸の位置まで伸びていることが必要である。
図のようにハンドル押し片１１０からその回転軸までの間が曲がって構成されているのはこのためである。
【００２０】
図３は、本発明のクレセント施・開錠具の他の一実施態様を示す図である。
図１の１−Ａ、１−Ｂについて同じことがいえるが、１−Ａのものを例にとって、変更部分のみを言えば、３−Ａにおいては、ガイド溝１６０の框取付け側が切れていて開いているものである。このようになっていると、取付けの時に施工しやすい。
３−Ｂでは、筐体１２０からハンドル押し片１１０を隠すように保護庇３１０を備えたものである。保護庇３１０がなくとも、取付け具１３０のある筐体１２０の部分は、外側とハンドル押し片１１０の間にあって、これを隠す配置になっているので、これでも防犯上の配慮がされているが、保護庇３１０がある場合は、さらに外からハンドル押し片１１０を回すことは難しい。従って、ハンドル２１０も当然に回すことは難しい。尚、保護庇３１０も、図の筐体１２０も室外からハンドル押し片を遮蔽する遮蔽体を構成している。
【００２１】
図４は、本発明のクレセント施・開錠具の内部構造の一実施態様を示す図である。
図１から図３までは、クレセント施・開錠具の構成である、ハンドル押し片１１０を回転駆動する駆動手段と、緊急時などに駆動手段を稼働させる動機を与える動機付与手段については説明しなかった。ここでこれを説明する。
どのような例でもよいのであるが、図２の２−Ｂに示したハンドル押し片１１０を例にして、先ず、駆動手段について説明する。４−Ａにおいては、回転軸に嵌ったストップピンをモータ駆動で引き抜いて、回転軸をバネの付勢により開錠する場合であり、４−Ｂでは、モータ回転を歯車で伝達して回転開錠する場合である。
先ず４−Ａにおいて、図示の状態は施錠の状態である。この状態から開錠することを想定する。ハンドル押し片１１０を回転する回転軸４１０は、バネ等の第一の付勢手段４２０により開錠方向に回転するように付勢されている。このため、付勢手段４２０の一端は、回転軸４１０に、他端は、筐体１２０側に固定されている。更に、回転軸４１０には止め穴４３０が備えてある。
止め穴４３０に嵌る止めピン４４１を有するスライド体４４０が筐体１２０に固定されたスライド基体４５０により摺動可能に支えられている。スライド体４４０は、平面歯車４６０を有し、これにかみ合って、モータ４７０からの回転を伝える歯車４８０がかみ合っている。尚、歯車４８０は約１／４だけ平面歯車４６０に接触し、その他は接触しないように切欠いてある。又、スライド体４４０は、スライド基体４５０に対して、バネ等の第二の付勢手段４９０により、回転軸４１０側に押されるように付勢されている。
施錠状態では、ピン４４１が止め穴４３０に嵌って（図では、分かりやすいように嵌ってないように描いてあるが、施錠状態では嵌っている）、ハンドル押し片１１０は開錠しないように押さえられている。このような状態から、図示しない駆動手段を稼働させる動機を与える動機付与手段からモータ４７０に回転する指示がなされると、回転して、スライド体４４０が、ピン４４１が止め穴４３０から抜ける方向に動いて、その結果、付勢手段４２０に付勢された回転軸４１０、従って、ハンドル押し片１１０、その結果ハンドルが開錠方向に回転し開錠状態になる。歯車４８０は約１／４だけ平面歯車４６０に接触するように３／４を切欠きしているので、すぐ接触はなくなり、モータの回転は伝達されず、スライド体４４０は拘束されない状態となり、第二の付勢手段４９０によりピン４４１が回転軸４１０側に移動してこれに接触状態になる。
この状態でモータ４７０の回転は止めてよいので、ピン４４１が止め穴４３０から抜けたら止める、ピン４４１再度復帰したら止める、又は、パルスモータを使いモータの回転は１回転で止めるなどすればよい。このようにすれば、第一の付勢手段４２０の強さにより、瞬時に回転し開錠することができる。尚、切欠きの程度は、３／４にこだわらず設計事項として必要に応じて変えられる。又、モータからの回転の伝達手段として他にもとれることは当然である。この例のものでは、第一の付勢手段４２０による付勢は開錠方向なので、一旦開錠すると、手動によりハンドルを、従って同時に、ハンドル押し片１１０を施錠側に戻さない限りは、ハンドル押し片１１０は、開錠側になっている。
尚、ピン４４１の駆動を他の機械的手段で行えば、モータによる電気的な駆動だけではなく行えることは当然である。
【００２２】
４−Ｂにおいて、ハンドル押し片１１０が付いた回転軸４３０についた歯車４３１に接して、歯車４８０は、モータ４７０からの回転を伝達する。歯車４８０とモータ４７０の間の伝達は、直接結合でも、複数の歯車を介してもよい。動機付与手段からの指令で必要時にはモータ４７０が回転駆動される。これにより、歯車４３１を介して、回転軸４３０、従って、ハンドル押し片１１０が回転し、図示しないハンドルが回転して開錠になる。歯車４８０は４−Ａの場合と同じで、約３／４は欠けているので、回転力が伝わらなくなると、第三の付勢手段４２１により、ハンドル押し片１１０のみが施錠方向に戻る。その時の戻り状態は、回転軸４３０についた、ストップピン４３２が、筐体１２０に固定した阻止板４３３に当たり停止する。その位置は施錠位置に対応している。
ハンドルは戻らないで開錠状態である。尚、回転軸４３０の回転を感知してモータ４７０を止めるために、回転軸４３０に永久磁石４３４、センス位置には磁気センサ４３５等を備えている。したがって、回転軸４３０が９０度以上回転すると、モータ４７０は回転を停止し、同時にハンドル押し片１１０は戻り動作に移る。このような動作は、簡単な動作であるが制御装置を介しておこなってもよい。その場合は、回転検出は省略できて必要な回転を制御装置から指示できることは当然である。尚、４−Ａ、４−Ｂともモータ駆動のように電気的回転動作を用いたが、電気的動作を行う場合は、当然これらを駆動する電源が必要であることは当然である。
【００２３】
尚、電気的動作でなく機械的動作のみで行うこともできる。例えば、４−Ａのものでは、ハンドル押し片１１０の開錠方向への回転動作は第一の付勢手段４２０の付勢により行えるので、ピン４４１を止め穴４３０から抜く動作を機械的に行えば、モータや歯車などのその他の駆動のための手段は不要とすることができる。そのためには、ピン４４１を抜くために、震動を感じてピン４４１を抜くことができればよい。例えば、震動に共鳴する振り子を備えて、これにより、ラチェットのように一方方向に移動する動作を得て、これをピン４４１の引抜動作として伝えて、これによりピン４４１が抜けるようにするか、移動する動作により錘を引き落下することで、錘の落下によりピン４４１が抜けるようにするなどの手段が可能である。この場合には、ピン４４１を行う移動動作から震動を感じる手段までが動機付与手段となっている。又、上記の錘の落下によりそれに連結した紐で回転軸４３０を引き回転すれば、４−Ｂにおいても電気的駆動を不要とすることができることは当然であり、いろいろな形態がとれる。
【００２４】
上記の説明の中でも動機付与手段を説明したが、図５を用いてこれを詳細に説明する。
図５は、本発明のクレセント施・開錠具を構成する動機付与手段の一実施態様を示す図である。
駆動手段５１００は、ハンドル押し片１１０を施錠又は開錠の方向に回転する手段であるので、今まで説明した回転軸４３０を付勢する第一の付勢手段４２０からモータ４７０まで、或いは、ピン４４１の引抜手段などがこれに相当する。これらの駆動手段５１００を動かすための動機を与える手段が動機付与手段５２００であり、動機付与手段５２００は、緊急警報を捉えたり、震動を捉えて駆動手段を駆動するための駆動信号を出す処理を行うもの、すなわち（１）電気的センスによるもの、或いは、前段落で説明した（２）機械的センスによる機械的動機付与手段がある。特別の場合は、（３）手動により駆動する場合も可能である。
先ず、（１）電気的センスによるものでは、アンテナ５２１１を介して無線受信手段５２１２が地震発生等の緊急災害情報を受信、或いは、放送波を受ける。これを制御手段５２１３が受けて、駆動手段５１００を駆動する。尚、リモコン５２１４により赤外線受信手段５２１５と制御手段５２１３を介して駆動手段５１００を駆動することも可能である。
地震発生等の緊急災害情報は、地震のＰ波により地震の程度や到達時間を知らせてくるので、実際の地震のＳ波が到達前に、開錠の処理を完了させることができて都合がよい。
（２）機械的センスによる機械的な動機付与手段については、前段落で説明したので省く。
【００２５】
尚、以上の説明では、駆動手段の例として回転するモータを例にしたが、リニアモータや、電磁石により棒体を移動させるものを使えば、ピンを外すことに歯車等は不要になるので、
各種のアクチュエータが一般に使用できる。
【産業上の利用可能性】
【００２６】
以上のように構成されているため、本発明のクレセント施・開錠具では、既設のクレセントの周りに後付けして、クレセントのハンドルを強制的に回転し施・開錠できるので、対策されないままの状態になっているクレセントを施・開錠、特に緊急時に備えた開錠が可能となり、閉じ込め防止や窓ガラスの破損防止に寄与できるので、好都合であり、産業上利用性が極めて大きい。
【符号の説明】
【００２７】
１１０  ハンドル押し片
１１１  溝
１２０  筐体
１３０  取付け具
１４０  開口部
１５０  回転軸
１６０  ガイド溝
２１０  ハンドル
２２０  掛片
２３０  掛部受具
２３１  嵌り溝
３１０  保護庇
４１０  回転軸
４２０  第一の付勢手段
４２１  第三の付勢手段
４３０  止め穴
４３１  歯車
４３２  ストップピン
４３３  阻止板
４３４  永久磁石
４３５  磁気センサ
４４０  スライド体
４４１  ピン
４５０  スライド基体
４６０  平面歯車
４７０  モータ
４８０  歯車
４９０  第二の付勢手段
５１００  駆動手段
５２００  動機付与手段
５２１０  電気的センスによる動機付与手段
５２１１  アンテナ
５２１２  無線受信手段
５２１３  制御手段
５２１４  リモコン
５２１５  赤外線受信手段
５２２０  機械的センスによる動機付与手段
５２３０  手動による動機付与手段
６１００  掛部本体
６１１０  基台
６１１１  取付け具
６１２０  掛部
６１２１  回転部
６１２２  掛片
６１２３  ハンドル
６２００  掛部受具
６２０１  嵌り溝
【図１】
2016191216.tif 000003
【図２】
2016191216.tif 000004
【図３】
2016191216.tif 000005
【図５】
2016191216.tif 000006
【図６】
2016191216.tif 000007
【図４】
2016191216.tif 000008